(57)【要約】  鋸の差し入れが容易であり、且つ広い鞘口部から奥の細い鞘本体内へとスムーズに侵入させることができ、しかも挿入状態で鋸がガタツクことがなく、更に製造コストを低減することができる鋸鞘の提供を課題とする。  扁平な鞘口部１０とそれに続く扁平な鞘本体２０とを備え、鋸刃３１をその刃先３１ａから鞘口部１０を介して鞘本体２０に挿入するようにした鋸鞘１であって、鞘口部１０と鞘本体２０とはそれぞれ別体に構成すると共に、鞘口部１０はその口幅を入口で広く且つ口内の奥にいくにつれて狭くなるように構成し、鞘本体２０は扁平な細長い筒状体を挿入される鋸刃３１の長さに合わせてカットしたものを用い、且つ鞘本体２０の先端部側を鞘口部１０の後端部側の口内で連通状態に嵌合して一体化してある。
2013014787.tif 000002
【特許請求の範囲】
【請求項１】
扁平な鞘口部とそれに続く扁平な鞘本体とを備え、鋸刃をその刃先から前記鞘口部を介して前記鞘本体に挿入するようにした鋸鞘であって、前記鞘口部と鞘本体とはそれぞれ別体に構成すると共に、前記鞘口部はその口幅を入口で広く且つ口内の奥にいくにつれて狭くなるように構成し、前記鞘本体は扁平な細長い筒状体を前記挿入される鋸刃の長さに合わせてカットしたものを用い、且つ鞘本体の先端部側を前記鞘口部の後端部側の口内で連通状態に嵌合して一体化してあることを特徴とする鋸鞘。
【請求項２】
鞘口部は、下口体と上口体とからなる分割体で構成し、該下口体と上口体とによって鞘本体の先端部側を両側から挟持する形に嵌合して一体化してあることを特徴とする請求項１に記載の鋸鞘。
【請求項３】
鋸刃の刃先を鞘本体の入口へ案内するための案内ロールを鞘口部の口内に設けてあることを特徴とする請求項１又は２に記載の鋸鞘。
【請求項４】
案内ロールは、鋸刃の刃先を鞘口部の入口から鞘本体の入口の横幅内に案内する案内ロールと鞘本体の入口の縦幅内に案内する案内ロールとからなることを特徴とする請求項３に記載の鋸鞘。
【請求項５】
鞘口部の入口の横幅方向両側に、刃先を前記鞘口部内へ案内する一対の第１案内ロールを、前記鞘口部の奥口内の横幅方向両側に、刃先を鞘本体の入口の横幅内へ案内する一対の第２案内ロールを、前記第１案内ロールと第２案内ロールとの中間位置における前記鞘口部の口内の縦幅方向両側に、前記鞘本体へ向けて侵入する鋸刃の向きを鞘本体の入口の縦幅内へ案内する一対の第３案内ロールを、それぞれ備えたことを特徴とする請求項４に記載の鋸鞘。
【請求項６】
鞘口部の口内の第１案内ロールの背後に、一定の間隙を持って鋸グリップのそれ以上の侵入を阻止する一対のグリップ侵入阻止部を備えると共に、前記第１案内ロールとグリップ侵入阻止部との間の一定の間隙を、鋸グリップの一部を受け入れて弾性嵌合させるグリップ弾性嵌合用空間として構成したことを特徴とする請求項５に記載の鋸鞘。
【発明の詳細な説明】
【技術分野】
【０００１】
本発明は鋸の刃を収容する鋸鞘に関する。
【背景技術】
【０００２】
従来、手引き鋸等の鋸の刃を収容する鋸鞘が提供されている。
例えば実開平７−３７５８５号（特許文献１）には、鞘体（２）に鋸身（１）を出し入れ操作する際に、鋸身差入用挿入口（３）の寸法を比較的大きく構成することで、鋸身（１）を出し入れし易くしたものが提供されている。また寸法を大きくした鋸身差入用挿入口（３）に硬質ローラ部材（４）を回転自在に軸着することで、鋸身（１）の鞘体（２）への出し入れ操作が一層容易で、鞘体（２）を傷つけるのを低減できるものが提供されている。
一方、特開２００８−１１４４４３号（特許文献２）には、断面形状が長手方向に一定な細長い金属成形体からなる鞘体（１０）と、その鞘体（１０）の両端に挿入口構成体（３０）と止蓋体（４０）を取り付けてなる鋸鞘が提供されている。
【先行技術文献】
【特許文献】
【０００３】
【特許文献１】実開平７−３７５８５号公報
【特許文献２】特開２００８−１１４４４３号公報
【発明の概要】
【発明が解決しようとする課題】
【０００４】
しかしながら、上記特許文献１の鋸の鞘の場合は、鋸身差入用挿入口（３）を大きくして硬質ローラ部材４を設けたことで鋸身（１）が入り易くなったものの、挿入口（３）に続く鞘体（２）も鋸身（１）に比べて広くなる傾向となり、挿入された鋸身（１）がガタツキ易いという問題が残っていた。また特許文献１の鞘の場合は、挿入口（３）から鞘体（２）までが一体物として構成されているが、このような一体物において広い挿入口（３）で且つ細い鞘（６）を持つものを構成するのは、非常に難しく、コスト高を免れない。
一方、上記特許文献２の鋸鞘の場合は、鞘体（１０）の一方の端部に挿入口構成体（３０）を、他方の端部には止蓋体（４０）を取り付けることで、比較的簡単に鋸鞘を製作することができると共に、鋸鞘の長さ調整も容易にできるメリットがあるものの、挿入口（３１ａ）が小さく、鋸身の挿入が容易には行えないという問題がある。【０００５】
そこで本発明は上記従来の鋸鞘の欠点を解消し、鋸の差し入れが容易であり、且つ広い鞘口部から奥の細い鞘本体内へとスムーズに侵入させることができ、しかも挿入状態で鋸がガタツクことがなく、更に製造コストを低減することができる鋸鞘の提供を課題とする。
【課題を解決するための手段】
【０００６】
上記課題を達成するため本発明の鋸鞘は、扁平な鞘口部とそれに続く扁平な鞘本体とを備え、鋸刃をその刃先から前記鞘口部を介して前記鞘本体に挿入するようにした鋸鞘であって、前記鞘口部と鞘本体とはそれぞれ別体に構成すると共に、前記鞘口部はその口幅を入口で広く且つ口内の奥にいくにつれて狭くなるように構成し、前記鞘本体は扁平な細長い筒状体を前記挿入される鋸刃の長さに合わせてカットしたものを用い、且つ鞘本体の先端部側を前記鞘口部の後端部側の口内で連通状態に嵌合して一体化してあることを第１の特徴としている。
また本発明の鋸鞘は、上記第１の特徴に加えて、鞘口部は、下口体と上口体とからなる分割体で構成し、該下口体と上口体とによって鞘本体の先端部側を両側から挟持する形に嵌合して一体化してあることを第２の特徴としている。
また本発明の鋸鞘は、上記第１又は第２の特徴に加えて、鋸刃の刃先を鞘本体の入口へ案内するための案内ロールを鞘口部の口内に設けてあることを第３の特徴としている。
また本発明の鋸鞘は、上記第３の特徴に加えて、案内ロールは、鋸刃の刃先を鞘口部の入口から鞘本体の入口の横幅内に案内する案内ロールと鞘本体の入口の縦幅内に案内する案内ロールとからなることを第４の特徴としている。
また本発明の鋸鞘は、上記第４の特徴に加えて、鞘口部の入口の横幅方向両側に、刃先を前記鞘口部内へ案内する一対の第１案内ロールを、前記鞘口部の奥口内の横幅方向両側に、刃先を鞘本体の入口の横幅内へ案内する一対の第２案内ロールを、前記第１案内ロールと第２案内ロールとの中間位置における前記鞘口部の口内の縦幅方向両側に、前記鞘本体へ向けて侵入する鋸刃の向きを鞘本体の入口の縦幅内へ案内する一対の第３案内ロールを、それぞれ備えたことを第５の特徴としている。
また本発明の鋸鞘は、上記第５の特徴に加えて、鞘口部の口内の第１案内ロールの背後に、一定の間隙を持って鋸グリップのそれ以上の侵入を阻止する一対のグリップ侵入阻止部を備えると共に、前記第１案内ロールとグリップ侵入阻止部との間の一定の間隙を、鋸グリップの一部を受け入れて弾性嵌合させるグリップ弾性嵌合用空間として構成したことを第６の特徴としている。
【発明の効果】
【０００７】
請求項１に記載の鋸鞘によれば、鋸鞘は扁平な鞘口部とそれに続く扁平な鞘本体とからなり、前記鞘口部から鋸刃が挿入され、奥の鞘本体へと入ってゆく。鞘口部はその入口の口幅が広く構成されているので、鋸刃の刃先を入口から鞘口部に入れ易い。そして鞘口部はその口内の奥にいくにつれて狭くなるように構成されているので、入口から入った鋸刃の刃先を鞘口部の後端部の口内に連通する鞘本体の入口に向けてスムーズに案内することができる。
しかも鞘口部と鞘本体とは別体に構成しているので、入口が広く口内の奥にいくにつれて口幅が狭くなるようにした構成の鞘口部を、より簡単な構造と加工にて、低コストで作製することができる。加えて鞘本体は、押し出し加工等により得た細長い筒状体をカットすることで、容易に低コストで作製することができる。
よって請求項１に記載の鋸鞘によれば、別体に構成した鞘口部と鞘本体とにより、複雑な一体製作を行うことなく、それぞれの部材を簡単に製作し、これを組み合わせることで、簡単に低コストで、しかも鋸刃の差し入れが容易で、差し入れられた鋸刃のガタツキがない鋸鞘を提供することができる。【０００８】
また請求項２に記載の鋸鞘によれば、上記請求項１に記載の構成による作用効果に加えて、鞘口部は下口体と上口体とからなる分割体としたことで、入口が広く口内の奥にいくにつれて口幅が狭くなるようにした鞘本体について、その樹脂加工等の加工、作製をより容易に、且つ精密に行うことができる。しかも鞘口部の下口体と上口体とで鞘本体を両側から挟持する形に嵌合して一体化してあるので、鞘本体の先端部をより堅固に、確実に結合して一体化させることができる。よってガタツキがなく、鋸刃をスムーズに、確実に挿入して収容することができる鋸鞘を提供することができる。【０００９】
また請求項３に記載の鋸鞘によれば、上記請求項１又は請求項２に記載の構成による作用効果に加えて、鋸刃の刃先を鞘本体の入口へ案内するための案内ロールを鞘口部の口内に設けてあるので、広い入口から鞘口部に案内された刃先は案内ロールによって確実に口幅が次第に狭くなる口内を案内され、鞘本体の入口に入ることができる。よって扁平な細長い筒状体からなる鞘本体であっても、その中にスムーズに、確実に鋸刃を納めることが可能となる。そして扁平で細長い筒状体からなる鞘本体に鋸刃を収容することができることで、鋸刃をガタツクことなく安定した状態で収容することができる。
勿論、鋸刃は案内ロールに従って鞘口部から鞘本体に案内されるので、鋸刃が鋸口部や鋸本体の内壁を削る問題も軽減される。【００１０】
上記請求項４に記載の鋸鞘によれば、上記請求項３に記載の構成による作用効果に加えて、案内ロールは、鋸刃の刃先を鞘口部の入口から鞘本体の入口の横幅内に案内する案内ロールと鞘本体の入口の縦幅内に案内する案内ロールとからなることにより、鞘口部に入った刃先を、後方の鞘本体の入口に向けて、該入口の横幅内に且つ縦幅内に位置するように案内することができる。よって、鋸刃を広口の鞘口部から扁平で細長い鞘本体内に確実に導いて収容させることができる。【００１１】
また請求項５に記載の鋸鞘によれば、上記請求項４に記載の構成による作用効果に加えて、鞘口部の入口の横幅方向両側に備えられた第１案内ロールによって、鋸刃の刃先を容易、確実に鞘口部内に案内することができる。
そしてまた鞘口部の奥口内の横幅方向両側に備えられた第２案内ロールによって、鞘口部の口内を案内されてきた鋸刃の刃先を容易、確実に鞘本体の入口の横幅内に案内することができる。
そして更に前記第１案内ロールと第２案内ロールとの中間位置に備えられた第３案内ロールによって、鞘口部の口内を案内されてきた鋸刃の刃先を確実に鞘本端の入口の縦幅内へ案内することができる。
よって、入口が広く口内の奥にいくにつれて口幅が狭くなるようにした鞘口部と、扁平で細長い筒状体からなる鞘本体との組み合わせからなる鋸鞘に対しても、スムーズに鋸刃を収容して、ガタツクことなく確実に収めることができる。【００１２】
上記請求項６に記載の鋸鞘によれば、上記請求項５に記載の構成による作用効果に加えて、鞘口部の第１案内ロールの背後に一定の間隙をもって鋸グリップのそれ以上の侵入を阻止する一対のグリップ侵入阻止部を備えることで、鋸グリップがそれ以上深く鋸鞘に入るのを防止して、安定した収容と確実な取り出しに備えることができる。
特に、第１案内ロールとグリップ侵入阻止部との間の一定の間隔を、鋸グリップの一部を受け入れて弾性嵌合させるグリップ弾性嵌合用空間として構成したことにより、第１案内ロールによって鋸グリップの先端部が鞘口部内に案内され且つ前記グリップ侵入阻止部で停止された鋸は、同時に鋸グリップの部分が前記グリップ侵入阻止部と第１案内ロールとの間のグリップ弾性嵌合用空間において、両側から挟まれた状態に弾性嵌合され、その位置に保持される。また鋸を鞘から抜き出す場合は、鋸グリップを持って抜き出し方向に引っ張ることで、第１案内ロールが回って、鋸グリップの弾性嵌合が解除され、鋸が鞘の外に引き出される。よって、鋸を鞘内でガタツカせることなく、また鞘から飛び出したりさせることなく、静止状態で確実に鞘内に収容保持させることができると共に、鋸の抜き出しも円滑に、容易に行うことができる。
【図面の簡単な説明】
【００１３】
【図１】本実施形態に係る鋸鞘と鋸を示す図である。
【図２】鋸鞘に鋸が納まった状態を示し、鞘本体が断面され且つ鞘口部の上口体が分離された状態を示す。
【図３】本実施形態に係る鋸鞘の分解斜視図である。
【図４】本実施形態に係る鋸鞘の鞘口部の入口を示す図である。
【図５】本実施形態に係る鋸鞘の鞘本体の輪切り断面図である。
【図６】本実施形態に係る鋸鞘の縦断面図である。
【図７】本実施形態に係る鋸鞘の鞘口部の下口体の内面を示す図である。
【図８】本実施形態に係る鋸鞘の鞘口部の上口体の内面を示す図である。
【図９】本実施形態に係る鋸鞘に鋸刃が侵入する第１段階を説明する図である。
【図１０】本実施形態に係る鋸鞘に鋸刃が侵入する第２段階を説明する図である。
【図１１】本実施形態に係る鋸鞘に鋸刃が侵入する第３段階を説明する図である。
【図１２】本実施形態に係る鋸鞘に鋸刃が侵入する第４段階を説明する図である。
【図１３】本実施形態に係る鋸鞘に鋸刃が侵入する第５段階を説明する図である。
【発明を実施するための形態】
【００１４】
以下の図面を参照して、本発明の実施形態に係る鋸鞘を説明する。
先ず図１を参照して、鋸鞘１は、鞘口部１０と鞘本体２０とからなる。この鋸鞘１に対して鋸３０が差し入れ自在に挿入される。
図２に鋸３０が鋸鞘１に挿入されて保持されている状態を示す。
この鋸鞘１は、図示しない取り付け具を用いて、作業者の腰等に取り付けられる。
作業者は必要に応じて鋸鞘１から鋸３０を取り出し、また作業が終わると鋸鞘１に収容することができる。
【００１５】
図３を参照して、前記鋸鞘１の鞘口部１０は、下口体１０ａと上口体１０ｂからなる分割体から分離自在に結合されることで構成される。また第１案内ロール１１ａ、第２案内ロール１１ｂ、第３案内ロール１１ｃも、それら下口体１０ａや上口体１０ｂとは分離可能に備えられている。なお第３図においては、第３案内ロール１１ｃは、下口体１０ａに既に取り付けた状態で示しているが、これも分離可能である。この第３案内ロール１１ｃは、上口体１０ｂの対応する位置にも取り付けてある。第３案内ロール１１ｃは枢軸ピンやネジ、その他の手段で、回転自在に取り付けることができる。
下口体１０ａと上口体１０ｂとは、ネジ１２で分離自在に結合され、鞘口部１０となる。
上口体１０ｂの外面には、長手方向の前、中、後の各位置において幅方向（短手方向）の両側の位置に、それぞれ一対の第１ネジ受部１３ａ、一対の第２ネジ受部１３ｂ、一対の第３ネジ受部１３ｃが設けられている。また前記一対の第２ネジ受部１３ｂの手前の位置において、幅方向の左右に前記第３案内ロール１１ｃを取り付けるための一対の枢軸ピン受部１３ｄが設けられている。
下口体１０ａの外面は、十分には図示されていないが、前記した上口体１０ｂの外面形状と同じである。即ち、下口体１０ａの外面にも同様に各一対の第１ネジ受部１３ａ、第２ネジ受部１３ｂ、第３ネジ受部１３ｃ、枢軸ピン受部１３ｄが設けられている。
前記ネジ１２は、各ネジ受部１３ａ、１３ｂ、１３ｃ、１３ｄに共通のネジとしている。
なお、下口体１０ａと上口体１０ｂは、特に位置における上下の関係はなく、鞘口部１０という口部を構成する半部の一方を下口体、残る半部を上口体と便宜上称しているだけである。
【００１６】
前記鞘本体２０は、扁平な細長い筒状体で構成されている（図１〜図３、図５を参照）。鞘本体２０は、具体的には一定の扁平な断面形状を備えたアルミニウム合金製押出管を用い、これを鋸刃３１の長さに合わせて所定の長さにカットしたものを用いている。
従って本発明においては、鞘本体２０となる筒状体のカット長さを変更するだけで、種々の寸法の鋸刃３１に対する鞘体を同一仕様で提供することができるメリットがある。
勿論、鞘本体２０の長さ、横幅（扁平断面の長径方向の寸法長さ）及び縦幅（扁平断面の短径方向の長さ）は、鋸刃を収容できる範囲で、できるだけ短寸法、短幅、薄厚として軽量にするのが好ましい。
鞘本体２０の材質は、前記アルミニウム合金の他、軽金属、金属、合成樹脂、その他の材料を用いることが可能である。
筒状体をカットしてなる鞘本体２０は、その両端部が開口した状態にあるが、先端部の開口は鋸刃３１の鞘本体２０への入口２４ａとなる。一方、後端部の開口については、必要に応じてその開口を元の開放状態のまま、或いは一部閉塞、一部開放の状態、更には全閉状態に保護する保護部材を取り付けるようにすることができる。
【００１７】
前記鞘本体２０の先端部側（入口２４ａ）は、鞘口部１０の後端部側の口内、即ち口内１４ｂの最奥部において連通状態に嵌合され、一体化される。そして前記鞘口部１０の後端部側の口内１４ｂの最奥部の嵌合空間１４ｃ（後述する）の内面は、鞘本体２０の先端部側の外面と過不足なく嵌合される形状に構成される。
鞘本体２０と鞘口部１０との嵌合、一体化手段として、前記鞘本体２０の先端部側には、扁平な下面及び上面の各中央部に嵌合用穴２１が一対で設けられている。また前記一対の嵌合用穴２１、２１に対応して、前記下口体１０ａ及び上口体１０ｂの各嵌合空間１４ｃ、１４ｃの扁平な内面中央に、嵌合用突部１９ａ、１９ａが一対で設けられている。この嵌合用突部１９ａ、１９ａは前記嵌合用穴２１、２１の穴径と同じにして、過不足なく嵌合するようにしている。また嵌合用突部１９ａ、１９ａの突出寸法は嵌合用穴２１、２１の穴の長さ以下の長さとして、嵌合した際に嵌合用突部１９ａ、１９ａが嵌合用穴２１、２１から鞘本体２０の口内に突出しないようにしている。
更に、鞘本体２０と鞘口部１０との嵌合、一体化手段として、前記鞘本体２０の先端部側の扁平な両側面、即ち曲率半径が最も小さくなる両側面に嵌合用凹条２２、２２或いは嵌合用切欠きが、前記嵌合用穴２１と同方向である縦方向に設けられている。また前記嵌合用凹条２２、２２に対応して、前記下口体１０ａ及び上口体１０ｂの各嵌合空間１４ｃ、１４ｃの両内側面、即ち曲率半径が最も小さくなる両内側面に嵌合用突条１９ｂ、１９ｂが、前記嵌合用突部１９ａと同方向である縦方向に設けられている。そして、この一対の嵌合用突条１９ｂ、１９部分に生じる肉厚の増加を利用して、そこにネジ穴１９ｃ、１９ｃを設けている。このネジ穴１９ｃは上記第３ネジ受部１３ｃ、１３ｃ及びネジ１２に対応するネジ穴である。
【００１８】
鞘口部１０と鞘本体２０との嵌合、一体化は、例えば次のようにして行う。
先ず、鞘口部１０の下口体１０ａに対して、鞘本体２０の先端部側をその嵌合用穴２１で下口体１０ａの嵌合用突部１９ａに嵌め込み、また嵌合用凹条２２で下口体１０ａの嵌合用突条１９ｂに嵌め込む。
次に上口体１０ｂを、鞘本体２０の上から被せるようにして、その嵌合用突部１９ａで鞘本体２０の嵌合用穴２１に嵌め込むと共に、嵌合用突条１９ｂで鞘本体２０の嵌合用凹条２２に嵌め込む。
次に、ネジ１２を一対の第３ネジ受部１３ｃ、１３ｃから前記上口体１０ｂのネジ穴１９ｃ、１９ｃに螺合し、下口体１０ａとネジ結合する。更にネジ１２を第２ネジ受部１３ｂ、第１ネジ受部１３ａと螺合し、上口体１０ｂと下口体１０ａとを結合する。これにより上口体１０ｂと下口体１０ａとの結合、一体化が完了し、同時に鞘本体１０の鞘口部１０との結合、一体化が完了する。なお、ネジ１２による螺合の順番は、前記第１ネジ受部１３ａ、第２ネジ受部１３ｂ、第３ネジ受部１３ｃの何れの順序であっても可能である。
【００１９】
以上のようにして鞘口部１０と鞘本体２０とを結合、一体化することで、鞘本体２０は、鞘口部１０の嵌合用突部１９ａ、１９ａ、嵌合用突条１９ｂ、１９ｂによって上下左右から嵌合されることとなって、確実な嵌合が達成される。更にネジ１２によって第３ネジ受部１３ｃからネジ穴１９ｃを介して締め付けられ、同様に第１、第２のネジ受部１３ａ、１３ｂによっても締め付けられ、一層確実な嵌合と、ガタツキが生じない一体化が完了する。
【００２０】
図４、図６〜図８も参照して、前記下口体１０ａと上口体１０ｂとの結合により構成される鞘口部１０は、楕円形状乃至扁平円形状を呈する入口１４ａ及びそれに続く口内１４ｂを備えた扁平な筒状体からなる。
鞘口部１０の口幅は、前記入口１４ａから口内１４ｂの奥にいくにつれて狭くなるように構成している。口内１４ｂの最奥部は、前記鞘本体２０の先端部側を丁度受け入れる形状の嵌合空間１４ｃとされている。
前記鞘口部１０の外形幅も先端部（前記入口１４ａがある端部）から長手方向に次第に細くなって、その後端部で前記鞘本体２０の径に近い幅となっている。
【００２１】
前記鞘口部１０の入口１４ａの横幅方向の両側に一対の第１案内ロール１１ａが備えられる。この第１案内ロール１１ａは、鋸刃３１の刃先３１ａを、鞘口部１０内へと案内する役割を果たす。第１案内ロール１１ａは、具体的には、扁平な入口１４ａの横幅方向の両側において、扁平面に対してロール軸が直角になるよう（ロール軸が扁平な入口１４ａの短手方向になるよう）に配置されている。
鞘本体２０の入口２４ａの口径に対して十分に口径を大きくした入口１４ａの両側に第１案内ロール１１ａを備えることで、鋸刃３１の刃先３１ａを容易に鞘口部１０内に案内することができ、しかも第１案内ロール１１ａによる回転を伴う案内であるので、鋸３０の刃先３１ａ等がロール面に接触しながら、ロールの回転に伴って進出し、スムーズに鞘口部１０内に導かれる。
更に鞘口部１０の奥口内、即ち口内１４ｂの奥の位置において、横幅方向の両側に、一対の第２案内ロール１１ｂが備えられる。この第２案内ロール１１ｂは鋸本体２０の入口の手前に配置され、且つ一対の第２案内ロール１１ｂ間の間隙が鞘本体２０の入口２４ａの横幅内となるように配置される。第２案内ロール１１ｂの向きは第１案内ロール１１ａと同じである。これによって前記入口１４ａから口内１４ｂを侵入してきた刃先３１ｂは、第２案内ロール１１ｂによって案内され、且つロールの回転と共に進出して、速やかに円滑に鞘本体２０内に導かれる。
【００２２】
前記第１案内ロール１１ａと第２案内ロール１１ｂとの中間位置に第３案内ロール１１ｃが配置される。この第３案内ロール１１ｃは、前記第１案内ロール１１ａ及び第２案内ロール１１ｂの向きとは直角の方向に配置される。即ち、鞘口部１０の口内１４ｂの横幅方向とは直角な縦幅方向の両側に備えられる。更に言えば、一対の第３案内ロール１１ｃは、扁平な口内１４ｂの扁平面に平行に離間して配置される。
一対の第３案内ロール１１ｃの間隙は、鞘本体２０の扁平な入口２４ａの横幅方向（扁平方向）と直角な縦幅方向（入口の短手方向）の寸法よりも小さく、即ち縦幅内なるように配置される。これによって第１案内ロール１１ａを経て第３案内ロール１１ｃに導かれた鋸刃３１の刃先３１ａは、その刃先３１ａの面の向きが鞘口部１０の口内１４ｂの扁平方向、並びに鞘本体２０の入口２４ａの扁平方向と一致するように矯正される。よって後続する鞘本体２０の入口２４ａへのスムーズな刃先３１ａの侵入準備を完了することができる。
【００２３】
前記一対の第１案内ロール１１ａの背後に、該第１案内ロール１１ａとは一定の間隙をもって、一対のグリップ侵入阻止部１５が備えられている。
グリップ侵入阻止部１５は、鞘口部１０の入口１４ａから口内１４ｂに入ってきた鋸グリップ３２をそれ以上侵入できないようにするものである。グリップ侵入阻止部１５は、より具体的には第１案内ロール１１ａの背後で且つ前記第３案内ロール１１ｃの手前に配置される。
グリップ侵入阻止部１５は、口内１４ｂの横幅方向の両側位置に第１案内ロール１４ａの軸方向と同方向に突出する柱として備えることができる。
グリップ侵入阻止部１５は、その下半部が下口体１０ａに形成され、上半部が上口体１０ｂに形成される。そして下口体１０ａと上口体１０ｂとが合わされて一体化されることで、前記グリップ侵入阻止部１５の下半部と上半部が合わされて１本の柱となる。
【００２４】
前記一対のグリップ侵入阻止部１５に対して、鋸グリップ３２の先端付近の両側には一対の膨出部３３を設けている。鋸グリップ３２の膨出部３３が侵入して前記グリップ侵入阻止部１５に達すると、グリップ侵入阻止部１５によりそれ以上の侵入を阻止される。
膨出部３３は鋸グリップ３２の一部をなし、弾性変形可能なゴム、プラスチックで構成される。
一方、前記一対の膨出部３３間の距離は、前記一対の第１案内ロール１１ａの間隙よりも少しその寸法を大きくしている。一対の膨出部３３は、前記材質として弾性変形できるものを用いることで、弾性変形しながら前記一対の第１案内ロール１１ａを越えて鞘口部１０に侵入することができるようにしている。前記弾性変形の変形能は第１案内ロール１１ａを乗り越えることができる程度の変形能とすることができる。
【００２５】
前記第１案内ロール１１ａとその背後のグリップ侵入阻止部１５との間の一定の間隙をグリップ弾性嵌合用空間１６として構成している。
グリップ弾性嵌合用空間１６は、その空間に前記鋸グリップ３２の膨出部３３を弾性嵌合する空間である。膨出部３３は前記グリップ侵入阻止部１５と第１案内ロール１１ａとによって前後から挟まれた状態でグリップ弾性嵌合用空間１６に弾性嵌合する。
鋸グリップ３２の先端付近が鞘口部１０に侵入する際、膨出部３３が第１案内ロール１１ａを乗り越えて、グリップ弾性嵌合用空間１６に弾性嵌合され、且つグリップ侵入阻止部１５によってそれ以上の侵入を阻止される。一方、鋸３０を鋸鞘１から抜き出す際には、鋸グリップ３２を引っ張ることで、グリップ弾性嵌合用空間１６にある膨出部３３が第１案内ロール１１ａを乗り越えて、鞘口部１０から脱出する。
【００２６】
鞘口部１０の前記口内１４ｂには、第３案内ロール１１ｃの手前の位置において、鋸刃３１の刃先３１ａを前記一対の第３案内ロール１１ｃの隙間に向けて案内する一対の傾斜案内面１７が設けられている。第１案内ロール１１ａを通過した鋸刃３１は、前記傾斜案内面１７により接触案内されることで、その刃先３１ａ面の向きが矯正され、一対の第３案内ロール１１ｃの間隙に導かれる。
【００２７】
下口体１０ａと上口体１０ｂの説明をすることで、鞘口部１０の構成を更に具体的に説明する。
図３、図７、図８等を参照して、下口体１０ａの入口１４ａの内面の両側には、一対の第１枢軸柱１８ａが立設状態（入口１４ａの長手方向に直角な短手方向）に一体成形されている。この第１枢軸柱１８ａは、第１案内ロール１１ａを回転自在に嵌めて枢軸となる柱である。この第１枢軸柱１８ａは筒状に構成され、前記ネジ１２が通るようになされている。
同様に、下口体１０ａの口内１４ｂの奥の両側には、一対の第２枢軸柱１８ｂが立設状態に一体成形されている。この第２枢軸柱１８ｂは、第２案内ロール１１ｂを回転自在に嵌めて枢軸となる柱である。第２枢軸柱１８ｂも筒状に構成され、前記ネジ１２が通るようになされている。
上口体１０ｂには前記第１枢軸柱１８ａと第２枢軸柱１８ｂは成形されていない。対応する位置には、第１ネジ受部１３ａ及び第２ネジ受部１３ｂに通じる各穴１８ｃと、第１案内ロール１１ａ及び第２案内ロール１１ｂを受ける各凹み１８ｄが設けられているだけである。
下口体１０ａ側に上口体１０ｂ側の分も一緒に成形することで、第１案内ロール１１ａや第２案内ロール１１ｂの差し込みにおけるズレの問題や、ネジ１２の差し込みのズレの問題が生じないようにしている。
【００２８】
前記第１枢軸柱１８ａ、第２枢軸柱１８ｂ以外の部分は、下口体１０ａ、上口体１０ｂとも同じ構成である。
下口体１０ａの口内１４ｂの奥の第２枢軸柱１８ｂの手前の位置には、その両側に一対の枢軸ピン受部１３ｄが水平方向（口内１４ｂの口幅方向）に相互に対向して設けられている。両枢軸ピン受部１３ｄの間に一対の第３案内ロール１１ｃの内の１個が回転自在に枢支されている。この第３案内ロール１１ｃも下口体１０ａから取り外し自在である。
同様に、上口体１０ｂの前記下口体１０ａと対応する位置に、一対の枢軸ピン受部１３ｄが相互に対向して設けられ、また第３案内ロール１１ｃの残る１個が設けられている。
また下口体１０ａの前記一対の第１枢軸柱１８ａの背後の口内１４ｂの両側に、一対のグリップ侵入阻止部１５の各下半部が、筒状柱として一体形成されている。このグリップ侵入阻止部１５は筒状である必要はない。
同様に上口体１０ｂの対応する位置に、一対のグリップ侵入阻止部１５の各上半部が、筒状柱として一体形成されている。
また下口体１０ａの口内１４ｂの奥の前記第３案内ロール１１ｃが配置される手前の位置には、上下一対の傾斜案内面１７のうち、下側の傾斜案内面１７が成形されている。
同様に上口体１０ｂの対応する位置には、上下一対の傾斜案内面１７のうち、上側の傾斜案内面１７が成形されている。
また下口体１０ａの口内１４ｂの最奥部の嵌合空間１４ｃの位置には、既述したように、その中央部に嵌合用突部１９ａが形成されると共に、両側部に嵌合用突条１９ｂと、ネジ穴１９ｃが成形されている。前記嵌合用突部１９ａは鞘本体２０の嵌合用穴２１と嵌合し、前記嵌合用突条１９ｂは鞘本体２０の嵌合用凹条２２と嵌合する。また前記ネジ穴１９ｃは上記第３ネジ受部１３ｃに続くネジ穴である。
同様に、上口体１０ｂの対応する位置に、嵌合用突部１９ａ、嵌合用突条１９ｂ、ネジ穴１９ｃが成形されている。
【００２９】
鋸鞘１の組み立てを再度説明する。
先ず、下口体１０ａの第１枢軸柱１８ａ、第２枢軸柱１８ｂに第１案内ロール１１ａ、第２案内ロール１１ｂを嵌め込む。また下口体１０ａの嵌合空間１４ｃに鞘本体２０を嵌め合せる。嵌め合わせは、下口体１０ａの嵌合用突部１９ａ、嵌合用突条１９ｂに対して鞘本体２０の先端部付近に形成した前記嵌合用穴２１、嵌合用凹条２２を嵌め合せることにより行う。
次に、上口体１０ｂを下口体１０ａ及び鞘本体２０の上から被せて嵌め合わせ、ネジ１２を第１ネジ受部１３ａ、第２ネジ受部１３ｂ、第３ネジ受部１３ｃに挿入して締め付ける。
以上で鋸鞘１の組み立てが完了する。鋸鞘１の分解は、ネジ１２を外すことで行うことができる。
【００３０】
図９〜図１３を参照して、鋸鞘１への鋸３０乃至鋸刃３１の挿入動作について説明する。なお図９〜図１３において、説明を判り易くするため、鞘口部１０は上口体１０ｂをとった状態で示している。
鋸鞘１は通常において作業者が取付具を介して腰等に取り付けており、鞘口部１０の入口１４ａが上向きに開口した状態となっている。
先ず図９を参照して、鋸刃３１を鋸鞘１に収納しようとする作業者は、鋸グリップ３２を持った状態で、鋸刃３１の刃先３１ａを鋸口部１０の広くされた入口１４ａに当てる。入口１４ａにはフリーに回転する一対の第１案内ロール１１ａが両側で待ち構えているので、刃先３１ａは第１案内ロール１１の何れか１つに当たって、ロールの回転と共に口内１４ｂに案内される。
【００３１】
図１０を参照して、口内１４ｂに入った刃先３１ａは、次第に口幅が細くなる口内１４ｂを進み、下口体１０ａか上口体１０ｂの何れかの傾斜案内面１７に当接し、傾斜案内面１７に沿って案内されながら、その位置を前方の一対の第３案内ロール１１ｃの隙間に向かって修正された後、一対の第３案内ロール１１ｃ間に導かれる。
そして刃先３１ａは、第３案内ロール１１ｃの回転を伴う案内を受けつつロール間を通過する際に、刃先３１ａ面が第３案内ロール１１ｃのロール間隙方向に一致するように修正を受ける。これによって、刃先３１ａ面及びそれに続く鋸刃３１の面が、後方で待機する鞘本体２０の入口２４ａの扁平方向と一致される。
【００３２】
図１１を参照して、第３案内ロール１１ｃを通過した刃先３１ａは、一対の第２案内ロール１１ｂに達し、該第２案内ロール１１ｂによって、ロール間に案内される。第２案内ロール１１ｂによって、刃先３１の位置が直ぐ後に控える鞘本体２０の入口２４ａの口幅（入口の長手方向幅）範囲内に規制される。位置規制された刃先３１ａは、進行方向に口を明けた鞘本体２０の入口２４ａにスムーズに侵入される。
【００３３】
図１２を参照して、鞘本体２０に刃先３１ａから鋸刃３１が侵入された鋸３０は、最後にその鋸グリップ３２の先端部付近の両側に設けられた膨出部３３が、鞘口部１０の入口１４ａに達する。両膨出部３３間の寸法は入口１４ａの両側に配された第１案内ロール１１ａ間距離よりも少し大きくしてある。一方、前記膨出部３３には少なくとも多少の弾性変形能を付与している。これによって、鋸グリップ３２を力で少し押してやると、第１案内ロール１１ａの回転を伴う案内を受けて、前記膨出部３３が第１案内ロール１１ａを乗り越えて入口１４ａから口内１４ｂに入る。
【００３４】
図１３を参照して、第１案内ロール１１ａを乗り越えた一対の膨出部３３はグリップ侵入阻止部１５によってその進出を阻止される。これによって鋸グリップ３２はその先端部付近だけが鋸鞘１に侵入した状態となる。
前記グリップ侵入阻止部１５でそれ以上の侵入を阻止された膨出部３３は、グリップ侵入阻止部１５と第１案内ロール１１ａとの間のグリップ弾性嵌合用空間１６に弾性嵌合された状態となって保持される。
鋸３０は、図１３に示す状態となって鋸鞘１に収容され、保持される。
鋸３０を鋸鞘１から抜き出すときは、鋸グリップ３２をもって、少し力を加えて引っ張れば、膨出部３３が第１案内ロール１１ａを回転させながら乗り越えて、鋸３０の抜き出しができる。
【００３５】
なお、鞘口部１０の下口体１０ａと上口体１０ｂのうち、下口体１０ａ側で取付具を介して作業者に鋸鞘１を取り付ける場合には、上口体１０ｂに比較して下口体１０ａの入口１４ａに刃先受部を延長突出させて設けることができる。刃先受部を下口体１０ａに設けることで、鋸刃３１の刃先３１ａが体に当たるのを刃先受片で防止しつつ、刃先を入口１４ａに導くことができる。
【産業上の利用可能性】
【００３６】
本発明の鋸鞘は、鋸を収容する鞘として、鋸と共に産業上の利用可能性がある。
【符号の説明】
【００３７】
１        鋸鞘
１０      鞘口部
１０ａ    下口体
１０ｂ    上口体
１１ａ    第１案内ロール
１１ｂ    第２案内ロール
１１ｃ    第３案内ロール
１２      ネジ
１３ａ    第１ネジ受部
１３ｂ    第２ネジ受部
１３ｃ    第３ネジ受部
１３ｄ    枢軸ピン受部
１４ａ    入口
１４ｂ    口内
１４ｃ    嵌合空間
１５      グリップ侵入阻止部
１６      グリップ弾性嵌合用空間
１７      傾斜案内面
１８ａ    第１枢軸柱
１８ｂ    第２枢軸柱
１８ｃ    穴
１８ｄ    凹み
１９ａ    嵌合用突部
１９ｂ    嵌合用突条
１９ｃ    ネジ穴
２０      鞘本体
２１      嵌合用穴
２２      嵌合用凹条
２４ａ    入口
３０      鋸
３１      鋸刃
３１ａ    刃先
３２      鋸グリップ
３３      膨出部
【図１】
2013014787.tif 000003
【図２】
2013014787.tif 000004
【図３】
2013014787.tif 000005
【図４】
2013014787.tif 000006
【図５】
2013014787.tif 000007
【図６】
2013014787.tif 000008
【図７】
2013014787.tif 000009
【図８】
2013014787.tif 000010
【図９】
2013014787.tif 000011
【図１０】
2013014787.tif 000012
【図１１】
2013014787.tif 000013
【図１２】
2013014787.tif 000014
【図１３】
2013014787.tif 000015
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
扁平な鞘口部とそれに続く扁平な鞘本体とを備え、鋸刃をその刃先から前記鞘口部を介して前記鞘本体に挿入するようにした鋸鞘であって、
前記鞘口部と鞘本体とはそれぞれ別体に構成し、
前記鞘口部は、その口幅を入口で広く且つ口内の奥にいくにつれて狭くなるように構成すると共に、前記口内に、前記鋸刃の刃先を鞘口部の入口から鞘本体の入口の横幅内に案内する案内ロールと鞘本体の入口の縦幅内に案内する案内ロールとを設け、
前記鞘本体は扁平な細長い筒状体を前記挿入される鋸刃の長さに合わせてカットしたものを用い、且つ鞘本体の先端部側を前記鞘口部の後端側の口内で連通状態に嵌合して一体化してあることを特徴とする鋸鞘。
【請求項２】
鞘口部は、下口体と上口体とからなる分割体で構成し、該下口体と上口体とによって鞘本体の先端部側を両側から挟持する形に嵌合して一体化してあることを特徴とする請求項１に記載の鋸鞘。
【請求項３】
鞘口部の入口の横幅方向両側に、刃先を前記鞘口部内へ案内する一対の第１案内ロールを、前記鞘口部の奥口内の横幅方向両側に、刃先を鞘本体の入口の横幅内へ案内する一対の第２案内ロールを、前記第１案内ロールと第２案内ロールとの中間位置における前記鞘口部の口内の縦幅方向両側に、前記鞘本体へ向けて侵入する鋸刃の向きを鞘本体の入口の縦幅内へ案内する一対の第３案内ロールを、それぞれ備えたことを特徴とする請求項１又は２に記載の鋸鞘。
【請求項４】
鞘口部の口内の第１案内ロールの背後に、一定の間隙をもって鋸グリップのそれ以上の侵入を阻止する一対のグリップ侵入阻止部を備えると共に、前記第１案内ロールとグリップ侵入阻止部との間の一定の間隙を、該グリップの一部を受け入れて弾性嵌合させるグリップ弾性嵌合用空間として構成したことを特徴とする請求項３に記載の鋸鞘。
【手続補正２】
【補正対象書類名】明細書
【補正対象項目名】０００６
【補正方法】変更
【補正の内容】
【０００６】
上記課題を達成するため本発明の鋸鞘は、扁平な鞘口部とそれに続く扁平な鞘本体とを備え、鋸刃をその刃先から前記鞘口部を介して前記鞘本体に挿入するようにした鋸鞘であって、前記鞘口部と鞘本体とはそれぞれ別体に構成し、前記鞘口部は、その口幅を入口で広く且つ口内の奥にいくにつれて狭くなるように構成すると共に、前記口内に、前記鋸刃の刃先を鞘口部の入口から鞘本体の入口の横幅内に案内する案内ロールと鞘本体の入口の縦幅内に案内する案内ロールとを設け、前記鞘本体は扁平な細長い筒状体を前記挿入される鋸刃の長さに合わせてカットしたものを用い、且つ鞘本体の先端部側を前記鞘口部の後端側の口内で連通状態に嵌合して一体化してあることを第１の特徴としている。
また本発明の鋸鞘は、上記第１の特徴に加えて、鞘口部は、下口体と上口体とからなる分割体で構成し、該下口体と上口体とによって鞘本体の先端部側を両側から挟持する形に嵌合して一体化してあることを第２の特徴としている。
また本発明の鋸鞘は、上記第１又は第２の特徴に加えて、鞘口部の入口の横幅方向両側に、刃先を前記鞘口部内へ案内する一対の第１案内ロールを、前記鞘口部の奥口内の横幅方向両側に、刃先を鞘本体の入口の横幅内へ案内する一対の第２案内ロールを、前記第１案内ロールと第２案内ロールとの中間位置における前記鞘口部の口内の縦幅方向両側に、前記鞘本体へ向けて侵入する鋸刃の向きを鞘本体の入口の縦幅内へ案内する一対の第３案内ロールを、それぞれ備えたことを第３の特徴としている。
また本発明の鋸鞘は、上記第３の特徴に加えて、鞘口部の口内の第１案内ロールの背後に、一定の間隙をもって鋸グリップのそれ以上の侵入を阻止する一対のグリップ侵入阻止部を備えると共に、前記第１案内ロールとグリップ侵入阻止部との間の一定の間隙を、該グリップの一部を受け入れて弾性嵌合させるグリップ弾性嵌合用空間として構成したことを第４の特徴としている。
【手続補正３】
【補正対象書類名】明細書
【補正対象項目名】０００８
【補正方法】変更
【補正の内容】
【０００８】
また請求項１に記載の鋸鞘によれば、鋸刃の刃先を鞘本体の入口へ案内するための案内ロールを鞘口部の口内に設けてあるので、広い入口から鞘口部に案内された刃先は案内ロールによって確実に口幅が次第に狭くなる口内を案内され、鞘本体の入口に入ることができる。よって扁平な細長い筒状体からなる鞘本体であっても、その中にスムーズに、確実に鋸刃を納めることが可能となる。そして扁平で細長い筒状体からなる鞘本体に鋸刃を収容することができることで、鋸刃をガタツクことなく安定した状態で収容することができる。
勿論、鋸刃は案内ロールに従って鋸口部から鞘本体に案内されるので、鋸刃が鋸口部や鋸本体の内壁を削る問題も軽減される。
【手続補正４】
【補正対象書類名】明細書
【補正対象項目名】０００９
【補正方法】変更
【補正の内容】
【０００９】
また請求項１に記載の鋸鞘によれば、前記口内に、前記鋸刃の刃先を鞘口部の入口から鞘本体の入口の横幅内に案内する案内ロールと鞘本体の入口の縦幅内に案内する案内ロールとを設けたことにより、鞘口部に入った刃先を、後方の鞘本体の入口に向けて、該入口の横幅内に且つ縦幅内に位置するように案内することができる。よって鋸刃を広口の鞘口部から扁平で細長い鞘本体内に確実に導いて収容させることができる。
【手続補正５】
【補正対象書類名】明細書
【補正対象項目名】００１０
【補正方法】変更
【補正の内容】
【００１０】
また請求項２に記載の鋸鞘によれば、上記請求項１に記載の構成による作用効果に加えて、鞘口部は下口体と上口体とからなる分割体としたことで、入口が広く口内の奥にいくにつれて口幅が狭くなるようにした鞘本体について、その樹脂加工等の加工、作製をより容易に、且つ精密に行うことができる。しかも鞘口部の下口体と上口体とで鞘本体を両側から挟持する形に嵌合して一体化してあるので、鞘本体の先端部をより堅固に、確実に結合して一体化させることができる。よってガタツキがなく、鋸刃をスムーズに、確実に挿入して収容することができる鋸鞘を提供することができる。
【手続補正６】
【補正対象書類名】明細書
【補正対象項目名】００１１
【補正方法】変更
【補正の内容】
【００１１】
また請求項３に記載の鋸鞘によれば、上記請求項１又は２に記載の構成による作用効果に加えて、鞘口部の入口の横幅方向両側に備えられた第１案内ロールによって、鋸刃の刃先を容易、確実に鞘口部内に案内することができる。
そしてまた鞘口部の奥口内の横幅方向両側に備えられた第２案内ロールによって、鞘口部の口内を案内されてきた鋸刃の刃先を容易、確実に鞘本体の入口の横幅内に案内することができる。
そして更に前記第１案内ロールと第２案内ロールとの中間位置に備えられた第３案内ロールによって、鞘口部の口内を案内されてきた鋸刃の刃先を確実に鞘本体の入口の縦幅内へ案内することができる。
よって、入口が広く口内の奥にいくにつれて口幅が狭くなるようにした鞘口部と、扁平で細長い筒状体からなる鞘本体との組み合わせからなる鋸鞘に対しても、スムーズに鋸刃を収容して、ガタツクことなく確実に収めることができる。
【手続補正７】
【補正対象書類名】明細書
【補正対象項目名】００１２
【補正方法】変更
【補正の内容】
【００１２】
上記請求項４に記載の鋸鞘によれば、上記請求項３に記載の構成による作用効果に加えて、鞘口部の第１案内ロールの背後に一定の間隙をもって鋸グリップのそれ以上の侵入を阻止する一対のグリップ侵入阻止部を備えることで、鋸グリップがそれ以上深く鋸鞘に入るのを防止して、安定した収容と確実な取り出しに備えることができる。
特に、第１案内ロールとグリップ侵入阻止部との間の一定の間隔を、鋸グリップの一部を受け入れて弾性嵌合させるグリップ弾性嵌合用空間として構成したことにより、第１案内ロールによって鋸グリップの先端部が鞘口部内に案内され且つ前記グリップ侵入阻止部で停止された鋸は、同時に鋸グリップの部分が前記グリップ侵入阻止部と第１案内ロールとの間のグリップ弾性嵌合用空間において、両側から挟まれた状態に弾性嵌合され、その位置に保持される。また鋸を鞘から抜き出す場合は、鋸グリップを持って抜き出し方向に引っ張ることで、第１案内ロールが回って、鋸グリップの弾性嵌合が解除され、鋸が鞘の外に引き出される。よって、鋸を鞘内でガタツカせることなく、また鞘から飛び出したりさせることなく、静止状態で確実に鞘内に収容保持させることができると共に、鋸の抜き出しも円滑に、容易に行うことができる。
【国際調査報告】
2013014787.tif 000016
2013014787.tif 000017
2013014787.tif 000018
2013014787.tif 000019